(57)【要約】【課題】船上の釣り人が繰り出す釣り糸に連結された仕掛をタナに正確に下し得るようにする。【解決手段】水深検知手段１１と、この水深検知手段１１からの信号を入力させて処理する演算処理手段１４と、この演算処理手段１４からの信号を外部に発信する通信手段１５とを有してなる。【選択図】        図１
2005003652.tif 000002
【特許請求の範囲】
【請求項１】
水深を直接検知する水深手段からの信号を演算処理手段で演算処理すると共に、演算処理手段で演算処理した信号を発信手段で外部に発信することを特徴とする水深検知方法
【請求項２】
水深を直接検知する水深検知手段からの信号を演算処理手段で演算処理すると共に、演算処理手段で演算処理した信号を発信手段で外部に発信し、発信手段からの信号を受信手段で受信し、受信手段からの信号を演算処理手段で演算処理し、演算処理手段で演算処理した信号を表示手段で表示することを特徴とする水深検知方法
【請求項３】
水深を直接検知する水深検知手段と、この水深検知手段からの信号を演算処理する演算処理手段と、この演算処理手段からの信号を外部に発信する発信手段とを有してなることを特徴とする水深検知装置
【請求項４】
水深を直接検知する水深検知手段と、この水深検知手段からの信号を演算処理する演算処理手段と、この演算処理手段からの信号を外部に発信する発信手段と、この発信手段からの信号を受信する受信手段と、この受信手段からの信号を演算処理する演算処理手段と、この演算処理手段からの信号を表示する表示手段とを有してなることを特徴とする水深検知装置
【請求項５】
水深検知手段，演算処理手段および発信手段が釣り用仕掛を構成する錘，撒き餌篭，テンビンあるいは釣り用仕掛を釣り糸に連結させる連結具のいずれかに内蔵されあるいは連繋されてなる請求項３および請求項４に記載の水深検知装置
【請求項６】
水深検知手段が水深センサからなる請求項３，請求項４および請求項５に記載の水深検知装置
【請求項７】
表示手段が繰り出す釣り糸の長さを表示してなる請求項４に記載の水深検知装置
【請求項８】
表示手段がリールに設けられると共に、受信手段および演算処理手段がリールに内蔵されてなる請求項４に記載の水深検知装置
【発明の詳細な説明】
【０００１】
【発明の属する技術分野】
この発明は、水中におかれる、たとえば、釣り用仕掛の深さ位置を検知するための水深検知方法およびこの方法を具現化する水深検知装置に関する。
【０００２】
【従来の技術】
魚釣りの際には、魚が居る層（以下、タナと称す）を見極めることが好釣果に結び付くことは経験則の示すところであり、それゆえ、釣り人が、たとえば、船を利用して魚釣りをする場合には、船に装備などする魚群探知機（以下、魚探と称す）で知り得たところからタナを探り出すことになる。
【０００３】
ちなみに、タナは、魚種によって異なるが、多くの場合に、底から数メートル上方、あるいは、数十メートル上方になり、ときとして、魚探で魚が泳いでいることを判別でき、したがって、魚探でその水深を知ることもある。
【０００４】
一方、水深がある、たとえば、海洋では、多くの場合に、潮の流れがあり、それゆえ、海中に投入された釣り用仕掛（以下、仕掛と称す）が上記のタナに至るまでの間に流され、あるいは、タナで流されて、船の真下に仕掛が位置決められないことも経験側の示すところである。
【０００５】
それゆえ、たとえば、魚探で知り得たタナに仕掛を下す場合には、仕掛が潮で流される分だけ仕掛に連結された釣り糸を余計に、たとえば、釣り用リール（以下、リールと称す）から繰り出す必要がある。
【０００６】
そして、仕掛が流されて釣り糸が斜めに繰り出されたり、Ｓ字状などに湾曲した状態に繰り出されている場合には、仕掛が正確にタナにあるか否かが定かでなく、それゆえ、好釣果を得られないことになる。
【０００７】
そこで、魚探で知り得る情報を船が装備する送信機で釣り人が船上で使用しているリールに送信し、あるいは、仕掛に小型，軽量に形成された発信機を組み込むと共に、この発信機からの情報を一旦船で受信し、これを送信機で釣り人が船上で使用しているリールに送信するとした提案がある（たとえば、特許文献１参照）。
【０００８】
それゆえ、この提案によれば、釣り人が船上で利用するリールにいわゆるタイムリーな情報、すなわち、水中情報を提供し得ることになり、釣り人は、所定のタナに仕掛を下すことが可能になると言い得る。
【０００９】
【特許文献１】
特開２００２−１４２６２３号公報（請求項１，請求項３，請求項４，段落００２１，段落００２４）
【００１０】
【発明が解決しようとする課題】
しかしながら、上記の提案にあっては、リールの構造をいたずらに複雑にすると指摘される可能性がある。
【００１１】
すなわち、魚探で知り得る情報を船が装備する送信機で釣り人が使用しているリールに送信するとの提案については、魚探で知り得た情報を釣り人が自分で直接リールに入力すれば足る。
【００１２】
それゆえ、魚探で知り得る情報をリールに入力させるだけなら、受信機を装備するなどして外部からの情報を受け取るように構成する、すなわち、リールの構造をわざわざ複雑にする必要性はないと言い得る。
【００１３】
一方、上記の提案では、仕掛に小型，軽量の発信機を組み込むと共に、この発信機からの情報を一旦船で受信し、これを船上で釣り人が使用しているリールに送信するとしているが、水深がかなり浅いとしてもいわゆる水中に電波や超音波を出して情報を伝達するのは容易でないと周知されていることからすれば、水中にある仕掛に組み込んだ発信機が得た情報を電波や超音波で船上の受信機に発信する趣旨の提案については、実現可能性がないと言わざるを得ない。
【００１４】
この発明は、このような現状を鑑みて創案されたものであって、その目的とするところは、たとえば、船上の釣り人が繰り出す釣り糸に連結された仕掛を所定のタナに正確に下し得るようにし、浅い場合にあってもちろんのこと、水深がある、たとえば、海洋での利用に向いて、その汎用性の向上を期待するのに最適となる水深検知方法、および、この方法を具現化するための水深検知装置を提供することである。
【００１５】
【課題を解決するための手段】
上記した目的を達成するために、まず、この発明による水深検知方法における第一の構成を、基本的には、水深を直接検知する水深検知手段からの信号を演算処理手段で演算処理すると共に、演算処理手段で演算処理した信号を発信手段で外部に発信するとする。
【００１６】
それゆえ、水深検知手段によって直接検知されたところが演算処理手段によって演算処理された後に発信手段によって外部に発信されるから、たとえば、実際に仕掛があった水深を、水中でなく、水面の上方で確認できる。
【００１７】
そして、この発明による水深検知方法における第二の構成を、水深を直接検知する水深検知手段からの信号を演算処理手段で演算処理すると共に、演算処理手段で演算処理した信号を発信手段で外部に発信し、発信手段からの信号を受信手段で受信し、受信手段からの信号を演算処理手段で演算処理し、演算処理手段で演算処理した信号を表示手段で表示するとする。
【００１８】
それゆえ、水深検知手段によって検知されたところが演算処理手段によって演算処理された後に発信手段によって外部に発信されると共に、この発信された信号を受信する受信手段からの信号を演算処理手段によって演算処理し、この演算処理された信号を表示手段で表示するから、受信手段，演算処理手段および表示手段が船上に位置決められることで、水深検知手段によって検知された、たとえば、実際に仕掛があった水深を外部たる船上で確認できる。
【００１９】
さらに、上記の水深検知方法を具現化するために、この発明による水深検知装置における第一の構成を、基本的には、水深を直接検知する水深検知手段と、この水深検知手段からの信号を演算処理する演算処理手段と、この演算処理手段からの信号を外部に発信する発信手段とを有してなるとする。
【００２０】
それゆえ、たとえば、実際に仕掛があった水深を水面の上方で知り得ると共に、この知り得たところを外部に情報として提供し得る。
【００２１】
そして、水深検知手段が水深センサからなると共に、このとき、温度センサからなる水温検知手段、および、水流センサからなる水流検知手段が併設されるとしても良い。
【００２２】
ちなみに、水流センサは、水流の方向に直列する複数の圧力センサを有してなり、この直列する圧力センサ間における距離と圧力差から水流を算出し得るとするのが好ましい。
【００２３】
そして、この発明による水深検知装置における第二の構成を、水深を直接検知する水深検知手段と、この水深検知手段からの信号を演算処理する演算処理手段と、この演算処理手段からの信号を外部に発信する発信手段と、この発信手段からの信号を受信する受信手段と、この受信手段からの信号を演算処理する演算処理手段と、この演算処理手段からの信号を表示する表示手段とを有してなるとする。
【００２４】
それゆえ、水深検知手段，演算処理手段および発信手段が水中に位置決められると共に、受信手段，演算処理手段および表示手段が船上に位置決められることで、たとえば、仕掛があった実際の水深を船上で視認できる。
【００２５】
そして、上記の水深検知装置にあって、より具体的には、水深検知手段，演算処理手段および発信手段が釣り用仕掛を構成する錘，撒き餌篭，テンビンあるいは釣り用仕掛を釣り糸に連結させる連結具のいずれかに内蔵されあるいは連繋されてなるとする。
【００２６】
それゆえ、実際の水深を直接検知するためにだけ水深検知装置を水中に下す必要がなく、また、錘，撒き餌篭，テンビンあるいは連結具が水中にある限り、逐次実際の水深を直接検知し得る。
【００２７】
また、上記の水深検知装置にあって、表示手段が繰り出す釣り糸の長さを表示してなるとし、表示手段がリールに設けられると共に、受信手段および演算処理手段がリールに内蔵されてなるとする。
【００２８】
それゆえ、表示手段が繰り出す釣り糸の長さを表示することで、利用者をして表示手段に表示されているところに基づいて釣り糸を繰り出せることになり、表示手段がリールに設けられると共に、受信手段および演算処理手段がリールに内蔵されることで、リールを利用する釣り人が自己の判断によって表示手段で表示される情報の取捨を選択でき、また、表示される情報に基づいて、個人的な判断を下せることになる。
【００２９】
【発明の実施の形態】
以下に、図示した実施形態に基づいて、この発明を説明するが、この発明による水深検知方法は、図１に示すような水深検知装置によって具現化されるとしており、図示するところでは、基本的には、水中の状況を検知する検知部１０を有してなるとし、より具体的には、同じく図示するように、検知部１０に表示部２０が無線下で電気的に接続されてなるとしている。
【００３０】
また、この水深検知方法は、図２に示す実施形態では、船１上からする魚釣り、たとえば、鯛釣りに際して具現化されるとし、このとき、水深検知装置として看れば、釣り人（図示せず）が利用する釣り竿２に保持されたリール３に上記の表示部２０（図１参照）が具現化され、このリール３から釣り竿２に副って延びる釣り糸４の先端に連結される仕掛５に上記の検知部１０（図１参照）が具現化されるとしている。
【００３１】
そして、この水深検知方法を具現化する水深検知装置にあっては、検知部１０と表示部２０とが無線下で電気的に接続されてなるとし、水中にあった検知部１０を表示部２０に接近させることで、すなわち、水中から引き上げた仕掛５を船１上のリール３に接近させることで、検知部１０が収集した情報を表示部２０に入力し得るとしている。
【００３２】
それゆえ、以下には、水深検知装置について説明しながら、水深検知方法について説明する。
【００３３】
ちなみに、リール３は、図示しないが、ハンドルを利用する手動操作であるいは電動モータを利用する自動操作でスプールを回転させて、ほぼ１００〜２００メートルある釣り糸４を巻き取り、また、リール３が有するストッパ機構の解除操作で上記のスプールから釣り糸４を繰り出せる周知の構造に形成されている。
【００３４】
また、仕掛５については、鯛釣りの場合に、たとえば、図３に示すテンビン仕掛と称される構造に形成されていて、釣り糸４に撚り戻しと称される連結具６の介在下に連結されるテンビン５１と、このテンビン５１に垂下される撒き餌篭５２とを有してなるのを基本とする。
【００３５】
このとき、撒き餌篭５２についてだが、図示するところでは、撒き餌篭５２のいわゆる篭本体に錘５２ａが一体に連設されてなるが、これに代えて、図示しないが、篭本体に別体となる錘５３（図４参照）を垂下させることもある。
【００３６】
そして、テンビン仕掛についてだが、撒き餌を利用しない釣りの場合のテンビン仕掛にあっては、図４に示すように、テンビン５１に撒き餌篭５２に代わる錘５３が連結される。
【００３７】
また、釣り糸４にテンビン仕掛を連結する際には、多くの場合に、図３に示すように、撚り戻しと称される連結具６を利用するが、このとき、同じ撚り戻し構造に形成されながら、後述するように、検知部１０を内蔵する連結具７（図４参照）を利用するとしても良い。
【００３８】
なお、テンビン５１の先端には、釣り針（図示せず）を結束した糸、すなわち、ハリスＨが直接連結され、あるいは、撚り戻しＨ１やクッション材（図示せず）などの利用下に連結される。
【００３９】
リール３や仕掛５が上記のように形成されているとき、この発明における検知部１０は、水中の状況を効果的に検知し得るように形成されていることを肝要とするもので、そのために、まず、水深検知手段１１を有してなり、図示するところでは、水温検知手段１２と、水流検知手段１３とを有してなるとしている。
【００４０】
このとき、図示するところでは、水深検知手段１１が水深センサからなり、水温検知手段１２が温度センサからなるとし、水流検知手段１３が水流センサからなるとしている。
【００４１】
そして、水深センサは、その機能するところを鑑みれば、水圧計からなるとして良く、それゆえ、この水深センサの提案によれば、いわば既存の水圧計を利用することで足り、この発明における水深検知装置におけるいたずらなコスト高を招来しないようにすることが可能になる。
【００４２】
なお、この発明が意図するところを無視するのであれば、多くの船１が魚探を装備し、それゆえ、魚探で底やタナの水深を知り得ることからすれば、この発明において、水深検知手段１１を有することに意味がないとも解し得る。
【００４３】
しかし、この発明における水深検知手段１１は、水中におかれる、たとえば、仕掛５が実際にある水深を検知するから、水流があるために魚探では知り得ない仕掛が実際にある水深を検知し得ることになる。
【００４４】
だとすれば、仮に、船１において魚探が作動していない場合にも、水深を知り得ることになる点からすれば、この発明において、水深検知手段１１を有するこことに意義がある。
【００４５】
ところで、温度センサは、いわゆる温度計で足りるが、水流センサについては、これまで水流を直接検知し得るものとしての提案はなかった。
【００４６】
そこで、この発明では、水流センサは、一例として、図５に示すように、水流の方向に直列する複数（二つ）の圧力センサ１３ａ，１３ｂを有してなるとし、水流の上流側に一方の圧力センサ１３ａを配置すると共に、水流の下流側に他方の圧力センサ１３ｂを配置し、両方の圧力センサ１３ａ，１３ｂ間における距離と圧力差から水流を算出する提案をしている。
【００４７】
それゆえ、この水流センサの提案によれば、いわば既存の圧力センサを複数利用することで水流を検知することが可能になり、この発明における水中状況検知装置におけるいたずらなコスト高を招来しないようにすることが可能になる点で有利となる。
【００４８】
そして、上記の水流センサからなる水流検知手段１３は、専門漁師や船１上の釣り人が実釣に際してタナにおける水流を直接検知することを可能にし得ることになる。
【００４９】
つぎに、この検知部１０は、上記の各検知手段１１，１２，１３からの信号を入力して処理する演算処理手段１４を有すると共に、この演算処理手段１４からの信号を外部に発信する発信手段１５を有してなる。
【００５０】
演算処理手段１４は、上記の各検知手段１１，１２，１３から入力される信号たる情報を演算処理して発信手段１５に信号にして入力するもので、演算処理を行うＣＰＵからなる処理部１４ａと、この処理部１４ａにおける演算処理結果や命令を一時的に記憶するＲＡＭからなる記憶部１４ｂとを有してなる。
【００５１】
そして、発信手段１５は、上記の演算処理手段１４における処理部１４ａからの信号を入力させる通信モジュールたる本体部１５ａと、この本体部１５ａからの信号を後述する表示部２０に向けて出力するアンテナたる出力部１５ｂを有してなる。
【００５２】
ちなみに、この検知部１０にあっては、演算処理手段１４が記憶部１４ｂ、すなわち、ＲＡＭを有することから、電源部１６、すなわち、バッテリを有するとするが、このＲＡＭを有しない場合には、バッテリの配在も省略できることになる。
【００５３】
そして、上記の演算処理手段１４にＲＡＭを有しないとする場合には、この演算処理手段１４は、各検知手段１１，１２，１３から入力される情報を信号にして通信手段１５に出力するだけになる。
【００５４】
それゆえ、後述する表示部２０では、ＲＡＭを要するが、表示部２０の機能するところからすれば、ＲＡＭを有することは必然で、その観点からすれば、検知部１０において、ＲＡＭおよびバッテリの配在を省略するとしても問題はないことになる。
【００５５】
のみならず、検知部１０においてＲＡＭおよびバッテリの配在を省略できるから、検知部１０における体積を小さくし、重量を少なくすることが可能になり、それゆえ、この検知部１０が水中に配在されることを鑑みれば、小型，軽量化を具現化し易くなる点で有利となる。
【００５６】
ところで、この実施形態にあっては、上記のように形成された検知部１０、すなわち、検知部１０を形成する水温検知手段１１，水流検知手段１２および水深検知手段１３と、演算処理手段１４および発信手段１５は、これが仕掛５を構成する錘５３，撒き餌篭５２，テンビン５１あるいは仕掛５を釣り糸４に連結させるための連結具７（図４参照）のいずれかに内蔵されあるいは連結や保持されるなどで連繋されてなるとしている。
【００５７】
このとき、テンビン５１は、その形状から水流に添って態勢を安定させ易くなることもあり、特別の配慮を要しないが、錘５３や撒き餌篭５２にあっては、水流に添う態勢に安定させるのは容易でないから、図３中および図４中には符示しないが、錘５３に、また、撒き餌篭５２における錘５２ａに、さらには、連結具７にそれぞれ安定板を付けるのが好ましい。
【００５８】
また、テンビン５１に上記の検知部１０を内蔵させるについては、テンビン５１が多くの場合に線材からなるから、図３中に示すように、いたずらに水流の影響を受けないように配慮されて一体に連繋される専用カプセル体５１ａに内蔵させるようにするのが好ましい。
【００５９】
このように、検知部１０が仕掛５に内蔵されあるいは連繋されてなるとすることで、凡そ水中状況検知装置を水中の状況を検知するためにだけに水中に下す必要がなく、また、錘５３，撒き餌篭５２，テンビン５１あるいは連結具７が水中にある限り、逐次水中の状況を検知し得ることになる。
【００６０】
一方、表示部２０は、上記の検知部１０から提供される情報たる水中状況を船１上の釣り人に伝達するもので、この実施形態では、最終的には、釣り人が利用するリール３における液晶パネル部分に表出されるとしている。
【００６１】
そのため、この表示部２０は、前記した検知部１０における発信手段１５からの信号を受信する受信手段２１と、この受信手段２１からの信号を入力して処理する演算処理手段２２と、この演算処理手段２２からの信号を表示する表示手段２３とを有してなる。
【００６２】
そして、この表示部２０にあっては、後述する演算処理手段２２における記憶部２２ｂを形成するＲＡＭを有してなるから、また、表示手段２３でいわゆるディスプレイ表示することから、電源部２４を併せて有してなるとしている。
【００６３】
受信手段２１は、前記の発信手段１５からの信号を、すなわち、発信手段１５を形成する発信部１５ｂからの信号を通信モジュールたる本体部２１ａを介して演算処理手段２２に入力させるもので、本体部２１ａにはアンテナたる受信部２１ｂが接続されていて、この受信部２１ｂに上記の発信部１５ｂを介しての信号が入力されるとしている。
【００６４】
そして、演算処理手段２２は、上記の受信手段２１から入力される信号たる情報を演算処理するＣＰＵからなる処理部２２ａと、この処理部２２ａにおける演算処理結果や命令を一時的に記憶するＲＡＭからなる記憶部２２ｂとを有してなるとしている。
【００６５】
また、表示手段２３は、最終的に釣り人が必要とする情報を液晶パネルからなるディスプレイ部２３ａに表出させるもので、このディスプレイ部２３ａには、上記の演算処理手段２２からの信号を入力させる出力部２３ｂから入力されるとしている。
【００６６】
それゆえ、上記のように形成された表示部２０にあっては、受信手段２１，演算処理手段２２および表示手段２３が船１上に位置決められるときに、水中の状況を船１上で視認できることになる。
【００６７】
このとき、図示するところでは、この表示部２０がリール３における液晶パネル部分に表示されるとするから、このリール３を利用する釣り人が自己の判断で表示される情報の取捨を選択できることになる。
【００６８】
そして、この表示部２０にあっては、表示手段２３におけるディスプレイ部２３ａが仕掛５に連結された釣り糸４の繰り出す長さを表示するとしても良く、この場合には、利用者をしてディスプレイ部２３ａに表示されているところに基づいて釣り糸４を繰り出せ、また、表示される情報に基づいて、個人的な判断を下せることになる。
【００６９】
また、図示するところでは、この表示部２０がリール３に内蔵されてなるとするが、この表示部２０が機能するところを鑑みると、図示するところに代えて、改めては図示しないが、リール３から分離された液晶パネルを有する専用表示機で表示されるとしても良く、また、この専用表示機が船１の船縁に保持されるように形成されていたり、あるいは、腕時計型に形成されていたりなどする場合には、利便性が向上されるであろう。
【００７０】
以上のように、この発明にあっては、水中状況を知り得るが、このとき、水中状況を、たとえば、遠隔となる船１上からではなく、水中で得られるとしているところに特徴がある。
【００７１】
前記したところは、この発明による水中状況検知方法を具現化する水中状況検知装置を構成する検知部１０が鯛釣りにおけるテンビン仕掛に具現化されるとしたが、この発明が意図するところからすれば、凡そタナに位置決められる限りには、他の仕掛が利用されるとしても良い。
【００７２】
そして、同じ鯛釣りでも、テンビン仕掛を利用せずして、たとえば、図６に示す錘に釣り針を固着したテンヤ仕掛５ａやカブラ仕掛５ｂを利用する場合には、釣り針を固着する錘内に検知部１０を具現化することになるであろう。
【００７３】
【発明の効果】
以上のように、請求項１の発明にあっては、水深検知手段によって直接検知されたところが演算処理手段によって演算処理された後に発信手段によって外部に発信されるから、たとえば、実際に仕掛がある水深を、水中でなく、外部たる水面の上方で確認できることになる。
【００７４】
そして、請求項２の発明にあっては、水深検知手段によって検知されたところが演算処理手段によって演算処理された後に発信手段によって外部に発信されると共に、この発信された信号を受信する受信手段からの信号を演算処理手段によって演算処理し、この演算処理された信号を表示手段で表示するから、受信手段，演算処理手段および表示手段が船上に位置決められることで、水深検知手段によって検知された、たとえば、実際に仕掛があった水深所を外部たる船上で確認できることになる。
【００７５】
また、請求項３の発明にあっては、たとえば、実際に仕掛があった水深を水面の上方で知り得ると共に、この知り得たところを外部に情報として提供し得ることになる。
【００７６】
このとき、水深検知手段が水深センサからなると共に、温度センサからなる水温検知手段が、および、水流センサからなる水流検知手段が併設されるとしても良い。
【００７７】
ちなみに、水流センサは、水流の方向に直列する複数の圧力センサを有してなり、この直列する圧力センサ間における距離と圧力差から水流を算出し得るとするのが好ましい。
【００７８】
このとき、上記の水流センサにあっては、上記の水深検知装置と別体となる単独で活用されるとき、船上のいわゆる素人の釣り人だけでなく専門漁師が実釣に際してタナにおける水流を直接検知することを可能にし得ることになる。
【００７９】
そして、請求項４の発明にあっては、水深検知手段，演算処理手段および発信手段が水中に位置決められると共に、受信手段，演算処理手段および表示手段が船上に位置決められることで、たとえば、仕掛があった実際の水深を船上で視認できることになる。
【００８０】
このとき、上記の表示手段が船上の釣り人が利用する釣り竿に保持されたリールにおける液晶パネル部分としても良く、また、この表示手段が機能するところを鑑みると、リールから分離された液晶パネルを有する専用表示機で表示されるとしても良く、この場合に、この専用表示機が船の船縁に保持されるように形成されていたり、あるいは、腕時計型に形成されていたりなどする場合には、利便性が向上される。
【００８１】
そして、請求項５の発明にあっては、実際の水深を検知するためにだけ水深検知装置を水中に下す必要がなく、また、錘，撒き餌篭，テンビンあるいは連結具が水中にある限り、逐次水深を直接検知し得ることになる。
【００８２】
そしてまた、請求項６の発明にあっては、水深検知手段たる水深センサを既存の水圧計で代用できるから、水深検知装置におけるいたずらなコスト高を招来しないようにすることが可能になる。
【００８３】
そしてさらに、請求項７および請求項８の発明にあっては、表示手段が繰り出す釣り糸の長さを表示することで、利用者をして表示手段に表示されているところに基づいて釣り糸を繰り出せることになり、表示手段がリールに設けられると共に、受信手段および演算処理手段がリールに内蔵されることで、リールを利用する釣人が自己の判断によって表示手段で表示される情報の取捨を選択でき、また、表示される情報に基づいて、個人的な判断を下せることになる。
【００８４】
その結果、この発明によれば、水深検知手段で水中における、たとえば、仕掛が実際にある水深を直接検知し得ることになるから、この検知されたところを船上の釣り人が利用するリールにインプットさせることで、リールから繰り出す釣り糸の長さを補正することも可能になり、釣り糸に連結された仕掛を正確にタナに下し得ることになり、水深がある、たとえば、海中での利用に向き、その汎用性の向上を期待するのに最適となる。
【図面の簡単な説明】
【図１】この発明による水中状況検知方法を具現化する水中状況検知装置を原理的に示す図である。
【図２】この発明による水中状況検知装置が利用される状況を示す概略図である。
【図３】この発明による水中状況検知装置を構成する検知部を具現化するテンビン仕掛を示す図である。
【図４】他の構造のテンビン仕掛を示す図である。
【図５】水流センサの構造を示すモデル図である。
【図６】他の構造の仕掛を示す図である。
【符号の説明】
１  船
２  釣り竿
３  リール
４  釣り糸
５  仕掛
５ａ  テンヤ仕掛
５ｂ  カブラ仕掛
６，７  連結具
１０  検知部
１１  水深検知手段
１２  水温検知手段
１３  水流検知手段
１３ａ，１３ｂ  圧力センサ
１４，２２  演算処理手段
１４ａ，２２ａ  処理部
１４ｂ，２２ｂ  記憶部
１５  発信手段
１５ａ，２１ａ  本体部
１５ｂ，２３ｂ  出力部
１６，２４  電源部
２０  表示部
２１  受信手段
２１ｂ  入力部
２３  表示手段
２３ａ  ディスプレイ
５１  テンビン
５１ａ  カプセル体
５２  撒き餌篭
５２ａ，５３  錘
５４，５５  連結具
Ｈ  ハリス
Ｈ１  撚り戻し
【図１】
2005003652.tif 000003
【図２】
2005003652.tif 000004
【図３】
2005003652.tif 000005
【図４】
2005003652.tif 000006
【図５】
2005003652.tif 000007
【図６】
2005003652.tif 000008